(57)【要約】      （修正有）【課題】顧客が購入した牛肉の生産履歴情報を確認できる生産履歴情報管理システムを提供する.【解決手段】  牛の入庫時点で牛枝肉の脱骨時にブロック肉（真空包装）に添付されてくる固体識別番号の読取り手段と、固体番号識別記憶手段と、生産履歴入力手段と、生産履歴記憶手段と、生産履歴情報と固体識別番号とを含む商品管理情報生成手段と商品管理情報記憶手段と、ブロック肉の包装を開封して商品化する際に、識別固体番号を読み取り、商品化した商品へ登録済みの固体識別番号ラベルを貼り付ける手段と、購入した顧客が、固体識別番号を送信する手段と、前期固体識別番号を受信する手段と、前記固体識別番号の受信に伴い、生産履歴情報を検索する手段と、顧客へ送信する生産履歴情報送信手段と、生産履歴情報を顧客で受信、表示する手段とを有する牛肉の生産履歴情報管理システムである。【選択図】  図２
2005050199.tif 000002
【特許請求の範囲】
【請求項１】
牛の入庫時点で牛枝肉の脱骨時にブロック肉（真空包装）に添付されてくる固体識別番号を読み取る固体識別番号読み取り手段と、読み取った固体識別番号を記憶する固体番号識別記憶手段と、生産履歴書、市場名簿情報から、生産履歴を入力する生産履歴入力手段と、入力した生産履歴を記憶する生産履歴記憶手段と、生産履歴情報と固体識別番号とを含む商品管理情報を生成する商品管理情報生成手段と商品管理情報を記憶する商品管理情報記憶手段と、出庫時点で、ブロック肉の包装を開封して商品化する際に、再度識別固体番号読み取り手段で識別固体番号を読み取り、商品化した商品へ登録済みの固体識別番号ラベルを貼り付ける固体識別番号貼り付け手段と、購入した顧客が、固体識別番号を送信する送信手段と、前期固体識別番号を受信する手段と、前記固体識別番号の受信に伴い、前記商品管理情報記憶手段から生産履歴情報を検索する生産管理情報検索手段と、その結果得られた生産履歴情報を、顧客へ送信する生産履歴情報送信手段と、生産履歴情報を顧客で受信する生産履歴情報履歴手段と、受信した生産履歴情報を表示する表示手段とを有する牛肉の生産履歴情報管理システム。
【発明の詳細な説明】
【技術分野】
【０００１】
本発明は、牛肉を購入したお客様が、商品の原材料（牛肉）の生産履歴を確認することのできる固体識別番号を登録するセンター端末、固体識別番号による生産履歴確認システムに関し、特に、インターネット等のネットワークを介して顧客から固体識別番号の照会をうけ照会を受けた商品の生産履歴情報を顧客端末に送信するセンター端末、生産履歴照会方法、生産履歴照会プログラムおよびシステムに関する。
【背景技術】
【０００２】
従来では、牛肉の小売店舗において掲示板を利用した生産履歴情報のお客様への提供を行ってきた。しかしながら、産地直送などで、商品を各地のお客様に、直接発送する場合には、生産履歴情報の提供がはかれていないのが現状である。食肉偽装表示事件などに見られるよう顧客への生産履歴情報の提供は牛肉販売上の情報として必要不可欠のものになりつつある。すべてのお客様に対して現状では、生産履歴情報の開示が、必ずしも実施できていないという問題があった。
【０００３】
又インターネット等のネットワークを用いて製品のオンラインショッピングを行う従来の製品販売システムは、ネットワークを介して注文者から製品の注文が受け付けられ、宅配便等により注文者の指定した住所に製品が配送される。
【発明の開示】
【発明が解決しようとする課題】
【０００４】
従来では、牛肉の小売店舗において掲示板を利用した生産履歴情報のお客様への提供を行ってきた。しかしながら、産地直送などで、商品を各地のお客様に、直接発送する場合には、生産履歴情報の提供がはかれていないのが現状である。食肉偽装表示事件などに見られるよう顧客への生産履歴情報の提供は牛肉販売上の情報として必要不可欠のものになりつつある。すべてのお客様に対して現状では、生産履歴情報の開示が、必ずしも実施できていないという問題があった。そこで、本発明は、顧客が顧客端末から購入した牛肉の生産履歴情報を確認することができるセンター端末、照会方法、照会プログラムおよび生産履歴情報管理システムを提供することにある。
【課題を解決するための手段】
【０００５】
本発明は、牛の入庫時点で牛枝肉の脱骨時にブロック肉（真空包装）に添付されてくる固体識別番号を読み取る固体識別番号読み取り手段と、読み取った固体識別番号を記憶する固体番号識別記憶手段と、生産履歴書、市場名簿情報から、生産履歴を入力する生産履歴入力手段と、入力した生産履歴を記憶する生産履歴記憶手段と、生産履歴情報と固体識別番号とを含む商品管理情報を生成する商品管理情報生成手段と商品管理情報を記憶する商品管理情報記憶手段と、出庫時点で、ブロック肉の包装を開封して商品化する際に、再度固体識別番号読み取り手段で固体識別番号を読み取り、商品化した商品へ登録済みの固体識別番号ラベルを貼り付ける固体識別番号貼り付け手段と、購入した顧客が、固体識別番号を送信する送信手段と、前期固体識別番号を受信する手段と、前記固体識別番号の受信に伴い、前記商品管理情報記憶手段から生産履歴情報を検索する生産管理情報検索手段と、その結果得られた生産履歴情報を、顧客へ送信する生産履歴情報送信手段と、生産履歴情報を顧客で受信する生産履歴情報履歴手段と、受信した生産履歴情報を表示する表示手段とを有する。
【発明の効果】
【０００６】
第１の効果は、産地直送などで、商品を各地のお客様に、直接発送する場合でも、生産履歴情報の提供が図れる効果がある。その理由は、商品に貼り付けられてあるラベルの固体識別番号を、生産履歴管理システムに送付することにより生産履歴情報の参照が、出来るためである。
【０００７】
第２の効果は、顧客が、商品の正確な生産履歴情報を認識することが出来るということである。その理由は、固体識別番号の読み取り、および固体識別番号に対応する生産履歴情報の生成、情報の登録が、電子化されており人為的なミスが発生する可能性を極小化しているためである。
【発明を実施するための最良の形態】
【０００８】
図１を参照すると、本実施例は、顧客端末１０と、センター端末２０とから構成されている。これらの顧客端末１０、およびセンター端末２０は、プログラム制御により動作し、インターネット等のネットワーク１００を介して相互に接続されている。
【０００９】
顧客端末１０は、パーソナルコンピュータ等の情報処理装置であり、センター端末２０が提供している製品情報にアクセスし、その製品情報を画面に表示する機能を備えている。製品情報としては、例えば、牛肉の写真、価格または生産地等の商品に関する情報があり、商品の名称、型番、商品番号、価格等の情報を含む。顧客端末10は、顧客の操作により、顧客が購入した商品のラベルに表示されている固体識別番号をネットワーク１００を介してセンター端末２０に送信する機能を備えている。
【００１０】
また、センター端末２０は、顧客から送信される固体識別番号によりセンター端末２０内に格納されているデータベースを検索して、生産履歴情報を顧客端末１０にネットワーク１００を介して送信する機能を備えている。
【００１１】
センター端末２０は、商品を販売するセンターに設置されているワークステーション・サーバ等の情報処理装置であり、顧客端末１０が送信した固体識別番号を受信し、センター端末10内のデータベースを検索して生産履歴情報を生成する機能を備え生成した生産履歴情報を顧客端末１０に送信する機能を備えている。
【００１２】
生産履歴情報は、前記固体識別番号の受信に伴い、センター端末20に格納されているデータベースを検索して、得られる商品の原材料となった牛の生産履歴が確認できる識別情報である。
【００１３】
また、センター端末２０は、牛の入庫時点で牛枝肉の脱骨時にブロック肉（真空包装）に添付されてくる固体識別番号を読み取るハンディターミナルなどの固体識別番号読み取り機能を備えている。センター端末２０は、読み取った固体識別番号を記憶する記憶装置などの固体番号識別記憶機能を備えている。
【００１４】
またセンター端末２０は、生産履歴書、市場名簿情報から、生産履歴を入力する生産履歴入力機能と、入力した生産履歴を記憶する記憶装置などの生産履歴記憶機能を備えている。
【００１５】
またセンター端末２０は、生産履歴情報と固体識別番号とを含む商品管理情報を生成する商品管理情報生成機能と商品管理情報をデータベースとして記憶する記憶装置に記憶する商品管理情報記憶機能を備えている。
【００１６】
またセンター端末２０は、出庫時点で、ブロック肉の包装を開封して商品化する際に、ハンディターミナルなどの固体識別番号読み取り手段で再度固体識別番号を読み取り、商品化した商品へ登録済みの固体識別番号ラベルを貼り付ける固体識別番号貼り付け機能を備えている。
【図面の簡単な説明】
【００１７】
【図１】本発明の実施の形態を示すブロック図である。
【図２】本発明のシステムの流れを示した説明図である
【符号の説明】
【００１８】
１０  顧客端末
２０  センター端末
１００  ネットワーク
【図１】
2005050199.tif 000003
【図２】
2005050199.tif 000004